(57)【特許請求の範囲】
【請求項１】
能力可変型の圧縮機と、室内熱交換器と、室外熱交換器と、減圧量を調整可能な電動膨張弁と、暖房運転と除霜運転とを切り換える４方弁と、室内送風機と、室外送風機とで形成される冷凍サイクルを備えた空気調和機において、冷媒の凝縮温度を検知可能な室内配管温度検出手段と、前記電動膨張弁の適切な弁開パルス数を判定して設定する弁開パルス判定手段と前記室内送風機ファンのファン速度を検出する室内送風機ファン速度検出手段を備え、を備え、除霜運転開始信号の入力に対応して前記圧縮機を停止したのち所定の停止時間を経過するまで前記電動膨張弁を弁開駆動するとき、前記弁開パルス判定手段は、前記除霜運転開始信号の入力直前の前記室内配管温度が所定温度以上の場合は値が大きい所定の弁開パルス数を設定し、未満の場合には値が小さい所定の弁開パルス数を設定するようにし、尚且つ弁開パルス判定手段は、除霜運転開始信号の入力直前の室内配管温度に対応して設定する弁開パルス数を除霜運転開始信号の入力直前の前記ファン速度に対応して分別し、前記ファン速度が所定のファン速度以上である場合は値が小さい所定の弁開パルス数を設定し、未満の場合には値が大きい所定の弁開パルス数を設定するようにした空気調和機の除霜制御装置。
【請求項２】
圧縮機の運転周波数を検出する運転周波数検出手段を備え、除霜運転開始信号の入力に対応して前記圧縮機を停止したのち所定時間を経過するまで電動膨張弁を弁開駆動するとき、弁開パルス判定手段は、除霜運転開始信号の入力直前の室内配管温度に対応して設定する弁開パルス数を除霜運転開始信号の入力直前の前記運転周波数に対応して分別し、前記運転周波数が所定の運転周波数以上である場合は値が大きい所定の弁開パルス数を設定し、未満の場合には値が小さい所定の弁開パルス数を設定するようにした請求項１記載の空気調和機の除霜制御装置。
【請求項３】
室外機で使用される電流の総和である室外総合運転電流を検出する室外総合運転電流検出手段を備え、除霜運転開始信号の入力に対応して前記圧縮機を停止したのち所定時間を経過するまで電動膨張弁を弁開駆動するとき、弁開パルス判定手段は、除霜運転開始信号の入力直前の室内配管温度に対応して設定する弁開パルス数を除霜運転開始信号の入力直前の前記室外総合運転電流に対応して分別し、前記室外総合運転電流が所定の室外総合運転電流以上である場合は値が大きい所定の弁開パルス数を設定し、未満の場合には値が小さい所定の弁開パルス数を設定するようにした請求項１記載の空気調和機
の除霜制御装置。
【発明の詳細な説明】
【０００１】
【発明の属する技術分野】
本発明は、空気調和機の除霜制御装置に関する。
【０００２】
【従来例の技術】
図１４は空気調和機の構成を示す冷凍サイクル図である。図１４において、冷凍サイクルは、能力可変型の圧縮機１、室内熱交換器２、室内送風機３、室外熱交換器４、室外送風機５、電動膨張弁６、および暖房運転と除霜運転とを切り換える４方弁７とで構成されている。なお、８は室内配管温度を検出する室内配管温度検出手段としての室内配管温度センサである。暖房運転時には４方弁７が切り換わることにより、図において矢印で示した方向に冷媒が流れるようになっている。ここで、４方弁７は低差圧型のものが採用され、切り換わるときの差圧がたとえば、３．５ｋｇｆ／ｃｍ２以上、１０ｋｇｆ／ｃｍ２以下の範囲内で使用するよう規定されている。
【０００３】
上記構成において、コストダウンを図るために、暖房運転から除霜運転に切り換える４方弁７には安価な前記低差圧型のものを採用しており、冷凍サイクル中の差圧があまりに大きいときには４方弁７が切り換わらないため、除霜運転開始時に、圧縮機１を一旦停止し、電動膨張弁６を駆動して圧力を下げてから４方弁７を切り換えるようにしている。
【０００４】
図１５は上記従来例の動作を示すフローチャートである。図１５において、ステップ１で暖房運転を開始したのち、ステップ２では除霜運転開始信号の入力を常にチェックしており、前記除霜運転開始信号を入力すると、ステップ３に移行してタイマカウントを所定の停止時間Ｔ１、ここでは３０秒にセットし、ステップ９で停止時間Ｔ１の経過が検出されるまで、ステップ４で圧縮機１を一旦停止させる。この運転停止中において、ステップ５ないしステップ７により電動膨張弁６の弁開パルス数Ｐを４００パルスに設定して駆動し、圧力を低下させ、差圧が大きくなり過ぎないようにしている。ステップ９で３０秒の経過を検出すると、圧縮機１の運転を再開して除霜運転を開始する。
【０００５】
【発明が解決しようとする課題】
このような除霜制御装置において、この種の４方弁７はコイルに通電して磁力を発生させ、磁力により先にパイロット弁を切り換え、つぎに、冷凍サイクル中の差圧を利用してメイン弁を切り換えるパイロット式切り換え弁構造となっているため、最大圧力と最小圧力との間に、ある範囲の差圧が必要であり、上記従来の制御では、運転条件の違いにより圧縮機１の停止時間が一定でも差圧が高い場合と低い場合とが存在し、４方弁７が切り換わらなくなる場合が生じると言う問題があった。
【０００６】
本発明は上記の課題を解決するもので、暖房低温能力の低下を最小に抑えながら、圧縮機の停止時間を一定とする場合に、温度条件および運転条件の違いがあっても過不足のない差圧を確保でき、４方弁を確実に切り換えることができる空気調和機の除霜制御装置を提供することを目的とする。
【０００７】
【課題を解決するための手段】
請求項１に係わる本発明は、除霜運転開始信号を入力したとき、圧縮機を所定の停止時間の間は停止し、その間、除霜運転開始信号の入力直前の室内配管温度に対応して、電動膨張弁の弁開パルス数を所定の弁開パルス数に設定するようにし、圧縮機を所定の停止時間だけ停止しているとき、除霜運転開始信号の入力直前の室内送風機のファン速度を検出し、室内配管温度と前記ファン速度とに対応して、電動膨張弁の弁開パルス数を設定するようにした空気調和機の除霜制御装置である。
【０００８】
本発明により、４方弁が要求する規定値範囲の差圧を確保して４方弁を確実に切り換えることができ、電動膨張弁の弁開パルス数を室内送風機のファン速度にも対応して詳細に制御することができる。
【０００９】
請求項２に係わる本発明は、圧縮機を所定の停止時間だけ停止しているとき、除霜運転開始信号の入力直前の圧縮機の運転周波数を検出し、室内配管温度と前記運転周波数とに対応して、電動膨張弁の弁開パルス数を設定するようにした請求項１に係わる空気調和機の除霜制御装置である。
【００１０】
本発明により、電動膨張弁の弁開パルス数を圧縮機の運転周波数にも対応して詳細に制御することができる。
【００１１】
請求項３に係わる本発明は、圧縮機を所定の停止時間だけ停止しているとき、除霜運転開始信号の入力直前の室外総合運転電流を検出し、室内配管温度と前記室外総合運転電流とに対応して、電動膨張弁の弁開パルス数を設定するようにした請求項１に係わる空気調和機の除霜制御装置である。
【００１２】
本発明により、電動膨張弁の弁開パルス数を室外総合運転電流にも対応して詳細に制御することができる。
【００１３】
【発明の実施の形態】
請求項１に係わる本発明は、能力可変型の圧縮機と、室内熱交換器と、室外熱交換器と、減圧量を調整可能な電動膨張弁と、暖房運転と除霜運転とを切り換える４方弁と、室内送風機と、室外送風機とで形成される冷凍サイクルを備えた空気調和機において、冷媒の凝縮温度を検知可能な室内配管温度検出手段と、前記電動膨張弁の適切な弁開パルス数を判定して設定する弁開パルス判定手段と前記室内送風機ファンのファン速度を検出する室内送風機ファン速度検出手段を備え、を備え、除霜運転開始信号の入力に対応して前記圧縮機を停止したのち所定の停止時間を経過するまで前記電動膨張弁を弁開駆動するとき、前記弁開パルス判定手段は、前記除霜運転開始信号の入力直前の前記室内配管温度が所定温度以上の場合は値が大きい所定の弁開パルス数を設定し、未満の場合には値が小さい所定の弁開パルス数を設定するようにし、尚且つ弁開パルス判定手段は、除霜運転開始信号の入力直前の室内配管温度に対応して設定する弁開パルス数を除霜運転開始信号の入力直前の前記ファン速度に対応して分別し、前記ファン速度が所定のファン速度以上である場合は値が小さい所定の弁開パルス数を設定し、未満の場合には値が大きい所定の弁開パルス数を設定するようにした空気調和機の除霜制御装置である。
【００１４】
本発明において、弁開パルス判定手段は、室内配管温度が所定温度以上である場合には冷凍サイクル中の高圧と低圧との差圧が大きくなると判定し、電動膨張弁の弁開パルス数を多く設定して差圧を下げ、また、室内配管温度が前記所定温度未満である場合には差圧が小さくなると判定し、電動膨張弁の弁開パルス数を少なく設定して差圧が小さくなり過ぎないように制御する。これにより、差圧を必要充分な範囲に納めて、４方弁を確実に駆動することができる。
【００１５】
請求項２に係わる本発明は、圧縮機の運転周波数を検出する運転周波数検出手段を備え、除霜運転開始信号の入力に対応して前記圧縮機を停止したのち所定時間を経過するまで電動膨張弁を弁開駆動するとき、弁開パルス判定手段は、除霜運転開始信号の入力直前の室内配管温度に対応して設定する弁開パルス数を除霜運転開始信号の入力直前の前記運転周波数に対応して分別し、前記運転周波数が所定の運転周波数以上である場合は値が大きい所定の弁開パルス数を設定し、未満の場合には値が小さい所定の弁開パルス数を設定す
るようにした請求項１に係わる空気調和機の除霜制御装置である。
【００１６】
本発明において、弁開パルス判定手段は、除霜運転開始信号の入力直前の運転周波数が高い場合は冷凍サイクル中の高圧と低圧の差圧が大きくなると判定し、電動膨張弁の弁開パルス数を多く設定して、差圧を下げるように制御する。これにより、一層詳細な制御が可能となり、４方弁を問題なく切り換えることができる。
【００１７】
請求項３に係わる本発明は、室外機で使用される電流の総和である室外総合運転電流を検出する室外総合運転電流検出手段を備え、除霜運転開始信号の入力に対応して前記圧縮機を停止したのち所定時間を経過するまで電動膨張弁を弁開駆動するとき、弁開パルス判定手段は、除霜運転開始信号の入力直前の室内配管温度に対応して設定する弁開パルス数を除霜運転開始信号の入力直前の前記室外総合運転電流に対応して分別し、前記室外総合運転電流が所定の室外総合運転電流以上である場合は値が大きい所定の弁開パルス数を設定し、未満の場合には値が小さい所定の弁開パルス数を設定するようにした請求項１に係わる空気調和機の除霜制御装置である。
【００１８】
本発明において、弁開パルス判定手段は、除霜運転開始直前の室外総合運転電流が高い場合は、冷凍サイクル中の高圧と低圧の差圧が大きくなると判定し、電動膨張弁の弁開パルス数を多く設定して、差圧を下げるように制御する。これにより一層詳細な制御が可能となり、４方弁を問題なく切り換えることができる。
【００１９】
以下、本発明の実施例について説明する。
【００２０】
【実施例】
（実施例１）
以下、本発明の空気調和機の除霜制御装置の実施例１について図面を参照しながら説明する。なお、本実施例における冷凍サイクルの構成は図１４と同じであり、図面、および説明を省略する。
【００２１】
図１は本実施例の構成を示すブロック図である。図１において、８は室内配管温度ｔ１を検出する室内配管温度検出手段、９は室内配管温度ｔ１の基準とする所定温度を記憶している温度記憶手段、１０は室内配管温度ｔ１が前記所定温度以上であるか否かを判定する温度判定手段、１１は電動膨張弁６の所定の弁開パルス数Ｐを複数個記憶している弁開パルス記憶手段、１２は室内配管温度ｔ１が前記温度以上か否かに対応して適切な弁開パルス数Ｐを判定し、弁開パルス記憶手段１１の記憶している中から読み出して設定する弁開パルス判定手段、１３は除霜運転開始信号を出力する除霜運転切換手段、１４は圧縮機１の運転を停止する所定の停止時間Ｔ１を記憶している圧縮機運転停止時間記憶手段、１５は圧縮機１の運転を停止させる圧縮機運転停止手段、１６は弁開パルス判定手段１２が設定した弁開パルス数の弁開パルスを出力する弁開パルス出力手段、１７は前記弁開パルスにより電動膨張弁６を駆動する膨張弁駆動手段である。
【００２２】
上記構成における除霜運転開始時の動作について説明する。図２は本実施例の動作を示すフローチャート、図３はタイムチャートである。図２において、ステップ１で暖房運転を開始すると、ステップ４で除霜運転切換手段１３から除霜運転開始信号を入力するまで、ステップ２ないしステップ４のループにより、室内配管温度検出手段８で室内配管温度ｔ１を常に検出しており、ステップ４で前記除霜運転開始信号を入力すると、ステップ５に移行してタイマカウントを、圧縮機運転停止時間記憶手段１４が記憶している所定の停止時間Ｔ１、ここでは３０秒にセットし、ステップ１３で３０秒の経過が検出されるまでの間は、ステップ６で圧縮機運転停止手段１５により圧縮機１を停止し、その間は、ステップ７ないしステップ１１において、温度判定手段１０により室内配管温度ｔ１を温度記憶手段９の記憶している所定の温度５０℃と比較し、弁開パルス判定手段１２は、電動膨張弁６の弁開パルス数Ｐを、除霜運転開始直前の室内配管温度ｔ１が所定の温度５０℃以上の場合は４００パルスを設定し、また、５０℃未満の場合は弁開パルス数Ｐを３００パルスを設定して、弁開パルス出力手段１６を介して膨張弁駆動手段１７により電動膨張弁６を駆動する。ステップ１２で３０秒の経過を検出すると、ステップ１３に移行し、圧縮機１の運転を再開して除霜運転を開始する。
【００２３】
以上の制御において、室内配管温度ｔ１は冷媒の凝縮温度、すなわち冷凍サイクル中の高圧を示しており、室内配管温度ｔ１が所定の温度５０℃以上で前記高圧が高い場合に弁開パルス数Ｐを多くして圧力を速く下げることができるため、差圧は１０ｋｇｆ／ｃｍ２を超えることはない。また、室内配管温度ｔ１が所定の温度５０℃未満で前記高圧が低い場合は弁開パルス数Ｐを少なくし圧力をゆっくり下げることができるため、差圧は３．５ｋｇｆ／ｃｍ２を下回ることはない。
【００２４】
図４は圧縮機１の運転停止後の３０秒間の実際の高圧と低圧との差圧を示す特性図である。圧縮機１の運転停止直後は約２０ｋｇｆ／ｃｍ２とかなり高くなっているが、電動膨張弁６の弁開パルス数Ｐを４００パルスに設定するので圧縮機１の停止３０秒後の差圧は約８ｋｇｆ／ｃｍ２まで低下し、４方弁７を問題なく切り換えることができる。
【００２５】
以上のように本実施例によれば、室内配管温度ｔ１により弁開パルス数を切り換えて設定するので、圧縮機１の停止３０秒後の差圧を３．５ｋｇｆ／ｃｍ２から１０ｋｇｆ／ｃｍ２の範囲に納めることができ、４方弁７を問題なく切り換えることができる。
【００２６】
なお、本実施例における３．５ｋｇｆ／ｃｍ２および１０ｋｇｆ／ｃｍ２なる値は一例であり、電動膨張弁６の規格に対応して決めるべき値であることは言うまでもない。
【００２７】
（実施例２）
以下、本発明の空気調和機の除霜制御装置の実施例２について図面を参照しながら説明する。
【００２８】
図５は本実施例の構成を示すブロック図である。なお、図１と同じ構成要素には同一符号を付与して詳細な説明を省略する。図５において、１８は室内送風機のファン速度Ｎを検出する室内送風機ファン速度検出手段、１９は前記ファン速度Ｎの基準とするファン速度を記憶している室内送風機ファン速度記憶手段、２０はファン速度Ｎが前記ファン速度以上であるか否かを判定する室内送風機ファン速度判定手段である。また、本実施例においては、弁開パルス判定手段１２は、温度判定手段１０の判定に対応して設定する弁開パルス数を、室内送風機ファン速度判定手段２０の判定に対応して分別して設定する。
【００２９】
図６は本実施例の動作を示すフローチャート、図７はタイムチャートである。図６において、ステップ１で暖房運転を開始すると、ステップ５で除霜運転開始信号を入力するまで、ステップ２ないしステップ５のループにより室内配管温度ｔ１とファン速度Ｎとを常に検出しており、ステップ５で除霜運転開始信号を入力すると、ステップ６でタイマカウントを所定の停止時間Ｔ１、ここでは３０秒にセットし、ステップ１７で３０秒の経過が検出されるまでの間はステップ７で圧縮機１を停止し、その間は、ステップ７ないしステップ１６により、電動膨張弁６の弁開パルス数Ｐを、室内配管温度ｔ１が５０℃以上、かつファン速度Ｎが１２００ｒｐｍ未満のときは４００パルスを設定し、また、ファン速度Ｎが１２００ｒｐｍ以上のときは３５０パルスを設定し、また、室内配管温度ｔ１が５０℃未満のときは、ファン速度Ｎが１２００ｒｐｍ未満のとき３００パルスを設定し、ファン速度Ｎが１２００ｒｐｍ以上のときは２５０パルスを設定して駆動する。ステップ１７で３０秒の経過を検出すると、ステップ１８に移行し、圧縮機１の運転を再開して除霜運転を開始する。このとき、実施例１と同様に、差圧は３．５ｋｇｆ／ｃｍ２を下回らず、また１０ｋｇｆ／ｃｍ２を超えることもない。
【００３０】
以上のように、本実施例によれば、室内配管温度ｔ１のみでなく、ファン速度Ｎによっても弁開パルス数を切り換えて設定し、詳細に制御するので、圧縮機１の停止３０秒後の差圧を３．５ｋｇｆ／ｃｍ２から１０ｋｇｆ／ｃｍ２の範囲に納めることができ、４方弁７を問題なく切り換えることができる。
【００３１】
（実施例３）
以下、本発明の空気調和機の除霜制御装置の実施例３について図面を参照しながら説明する。
【００３２】
図８は本実施例の構成を示すブロック図である。なお、図１と同じ構成要素には同一符号を付与して詳細な説明を省略する。図８において、２１は圧縮機１の運転周波数Ｆを検出する圧縮機運転周波数検出手段、２２は所定の運転周波数を記憶している圧縮機運転周波数記憶手段、２３は運転周波数Ｆが前記所定の運転周波数以上であるか否かを判定する圧縮機運転周波数判定手段である。また、本実施例における弁開パルス判定手段１２は、温度判定手段１０の判定に対応して設定する弁開パルス数を圧縮機運転周波数判定手段２３の判定に対応して分別して設定する。
【００３３】
上記構成における動作について説明する。図９本実施例の動作を示すフローチャート、図１０はタイムチャートである。
【００３４】
図９において、ステップ１で暖房運転を開始すると、ステップ５で除霜運転開始信号を入力するまでステップ２ないしステップ５のループにより、室内配管温度ｔ１と運転周波数Ｆとを常に検出しており、ステップ５で除霜運転開始信号を入力すると、ステップ６でタイマカウントをセットし、ステップ１７で３０秒の経過を検出するまでの間、圧縮機１を停止し、その間、ステップ８ないしステップ１６により、電動膨張弁６の弁開パルス数を、室内配管温度が５０℃以上、かつ運転周波数Ｆが７０Ｈｚ以上のときは４００パルスを設定し、また、運転周波数Ｆが７０Ｈｚ未満のときは３５０パルスを設定し、また、室内配管温度が５０℃未満のときは、運転周波数Ｆが７０Ｈｚ以上のときは３００パルスを設定し、運転周波数Ｆが７０Ｈｚ未満のときは２５０パルスを設定して電動膨張弁６を駆動する。ステップ１７で３０秒の経過を検出するとステップ１８に移行し、圧縮機１の運転を再開して除霜運転を開始する。
【００３５】
以上のように本実施例によれば、室内配管温度ｔ１だけでなく、運転周波数Ｆによっても弁開パルス数を切り換えて設定し、詳細に制御するので、圧縮機１を停止してから３０秒後の差圧は３．５ｋｇｆ／ｃｍ２から１０ｋｇｆ／ｃｍ２の範囲に納めることができ、４方弁７を問題な〈切り換えることができる。
【００３６】
（実施例４）
以下、本発明の空気調和機の除霜制御装置の実施例４について図面を参照しながら説明する。図１１は本実施例の構成を示すブロック図である。なお、図１と同じ構成要素には同一符号を付与して詳細な説明を省略する。図１１において、２４は室外総合運転電流Ｉを検出する室外総合運転電流検出手段、２５は所定の室外総合運転電流を記憶している室外総合運転電流記憶手段、２６は室外総合運転電流Ｉが所定の室外総合運転電流以上であるか否かを判定する室外総合運転電流判定手段である。なお、本実施例では、弁開パルス判定手段１２は、温度判定手段１０の判定に対応して設定する弁開パルス数を室外総合運転電流判定手段２６の判定に対応して分別して設定する。
【００３７】
上記構成における動作について説明する。図１２は本実施例の動作を示すフローチャート、図１３はタイムチャートである。
【００３８】
図１２において、ステップ１で暖房運転を開始すると、ステップ５で除霜運転開始信号を入力するまでステップ２ないしステップ５のループにより、室内配管温度ｔ１と室外総合運転電流Ｉとを常に検出しており、ステップ５で除霜運転開始信号を入力すると、ステップ６でタイマカウントをセットし、ステップ１７で３０秒の経過を検出するまでの間、圧縮機１を停止し、その間、ステップ８ないしステップ１６により、電動膨張弁６の弁開パルス数を、室内配管温度が５０℃以上、かつ室外総合運転電流Ｉが１４Ａ以上のときは４００パルスを設定し、また、室外総合運転電流Ｉが１４Ａ未満のとき、３５０パルスを設定し、また、室内配管温度が５０℃未満のときは、室外総合運転電流Ｉが１４Ａ以上のとき３００パルスを設定し、室外総合運転電流Ｉが１４Ａ未満のときは２５０パルスを設定して電動膨張弁６を駆動する。ステップ１７で３０秒の経過を検出するとステップ１８に移行し、圧縮機１の運転を再開して除霜運転を開始する。
【００３９】
以上のように本実施例によれば、室内配管温度ｔ１だけでなく、室外総合運転電流Ｉによっても弁開パルス数を切り換えて設定し、詳細に制御するので、圧縮機１を停止してから３０秒後の差圧は３．５ｋｇｆ／ｃｍ２から１０ｋｇｆ／ｃｍ２の範囲に納まることができ、４方弁７を問題なく切り換えることができる。
【００４０】
【発明の効果】
請求項１に係わる本発明は、能力可変型の圧縮機と、室内熱交換器と、室外熱交換器と、減圧量を調整可能な電動膨張弁と、暖房運転と除霜運転とを切り換える４方弁と、室内送風機と、室外送風機とで形成される冷凍サイクルを備えた空気調和機において、冷媒の凝縮温度を検知可能な室内配管温度検出手段と、前記電動膨張弁の適切な弁開パルス数を判定して設定する弁開パルス判定手段とを備え、除霜運転開始信号の入力に対応して前記圧縮機を停止したのち所定の停止時間を経過するまで前記電動膨張弁を弁開駆動するとき、前記弁開パルス判定手段は、前記除霜運転開始信号の入力直前の前記室内配管温度が所定温度以上の場合は値が大きい所定の弁開パルス数を設定し、未満の場合には値が小さい所定の弁開パルス数を設定するようにした空気調和機の除霜制御装置とすることにより、冷凍サイクル中の高低圧の差圧を調整することが可能となり、４方弁を確実に切り換えることができる。
【００４１】
請求項２に係わる本発明は、室内送風機ファンのファン速度を検出する室内送風機ファン速度検出手段を備え、除霜運転開始信号の入力に対応して前記圧縮機を停止したのち所定時間を経過するまで電動膨張弁を弁開駆動するとき、弁開パルス判定手段は、除霜運転開始信号の入力直前の室内配管温度に対応して設定する弁開パルス数を除霜運転開始信号の入力直前の前記ファン速度に対応して分別し、前記ファン速度が所定のファン速度以上である場合は値が小さい所定の弁開パルス数を設定し、未満の場合には値が大きい所定の弁開パルス数を設定するようにした請求項１に係わる空気調和機の除霜制御装置とすることにより、室内送風機ファンのファン速度にも対応して冷凍サイクル中の高低圧の差圧を詳細に調整することが可能となり、４方弁を確実に切り換えることができる。
【００４２】
請求項３に係わる本発明は、圧縮機の運転周波数を検出する運転周波数検出手段を備え、除霜運転開始信号の入力に対応して前記圧縮機を停止したのち所定時間を経過するまで電動膨張弁を弁開駆動するとき、弁開パルス判定手段は、除霜運転開始信号の入力直前の室内配管温度に対応して設定する弁開パルス数を除霜運転開始信号の入力直前の前記運転周波数に対応して分別し、前記運転周波数が所定の運転周波数以上である場合は値が大きい所定の弁開パルス数を設定し、未満の場合には値が小さい所定の弁開パルス数を設定するようにした請求項１に係わる空気調和機の除霜制御装置とすることにより、圧縮機の運転周波数にも対応して冷凍サイクル中の高低圧の差圧を詳細に調整することが可能となり、４方弁を確実に切り換えることができる。
【００４３】
請求項４に係わる本発明は、室外総合運転電流を検出する室外総合運転電流検出手段を備え、除霜運転開始信号の入力に対応して前記圧縮機を停止したのち所定時間を経過するまで電動膨張弁を弁開駆動するとき、弁開パルス判定手段は、除霜運転開始信号の入力直前の室内配管温度に対応して設定する弁開パルス数を除霜運転開始信号の入力直前の前記室外総合運転電流に対応して分別し、前記室外総合運転電流が所定の室外総合運転電流以上である場合は値が大きい所定の弁開パルス数を設定し、未満の場合には値が小さい所定の弁開パルス数を設定するようにした請求項１に係わる空気調和機の除霜制御装置とすることにより、室外総合運転電流にも対応して冷凍サイクル中の高低圧の差圧を詳細に調整することが可能となり、４方弁を確実に切り換えることができる。
【図面の簡単な説明】
【図１】  本発明の空気調和機の除霜制御装置の実施例１の構成を示すブロック図
【図２】  同実施例の動作を示すフローチャート
【図３】  同実施例の動作を示すタイムチャート
【図４】  同実施例における圧縮機停止後の差圧の変化を示す特性図
【図５】  本発明の空気調和機の除霜制御装置の実施例２の構成を示すブロック図
【図６】  同実施例の動作を示すフローチャート
【図７】  同実施例の動作を示すタイムチャート
【図８】  本発明の空気調和機の除霜制御装置の実施例３の構成を示すブロック図
【図９】  同実施例の動作を示すフローチャート
【図１０】  同実施例の動作を示すタイムチャート
【図１１】  本発明の空気調和機の除霜制御装置の実施例４の構成を示すブロック図
【図１２】  同実施例の動作を示すフローチャート
【図１３】  同実施例の動作を示すタイムチャート
【図１４】  空気調和機の構成を示す冷凍サイクル図
【図１５】  従来の空気調和機の除霜制御装置の動作を示すフローチャート
【符号の説明】
１  圧縮機
２  室内熱交換器
３  室内送風機
４  室外熱交換器
５  室外送風機
６  電動膨張弁
７  ４方弁
８  室内配管温度センサ（室内配管温度検出手段）
９  温度記憶手段
１０  温度判定手段
１１  弁開パルス記憶手段
１２  弁開パルス判定手段
１３  除霜運転切換手段
１４  圧縮機運転停止時間記憶手段
１５  圧縮機運転停止手段
１６  弁開パルス出力手段
１７  膨張弁駆動手段
１８  室内送風機ファン速度検出手段
１９  室内送風機ファン速度記憶手段
２０  室内送風機ファン速度判定手段
２１  圧縮機運転周波数検出手段
２２  圧縮機運転周波数記憶手段
２３  圧縮機運転周波数判定手段
２４  室外総合運転電流検出手段
２５  室外総合運転電流記憶手段
２６  室外総合運転電流判定手段
ｔ１  室内配管温度
Ｔ１  停止時間
Ｐ  弁開パルス数
Ｎ  ファン速度
Ｆ  運転周波数
Ｉ  室外総合運転電流
【図１】
0004151221.tif 000002
【図２】
0004151221.tif 000003
【図３】
0004151221.tif 000004
【図４】
0004151221.tif 000005
【図５】
0004151221.tif 000006
【図６】
0004151221.tif 000007
【図７】
0004151221.tif 000008
【図８】
0004151221.tif 000009
【図９】
0004151221.tif 000010
【図１０】
0004151221.tif 000011
【図１１】
0004151221.tif 000012
【図１２】
0004151221.tif 000013
【図１３】
0004151221.tif 000014
【図１４】
0004151221.tif 000015
【図１５】
0004151221.tif 000016